(57)【要約】【課題】霧状液体を顔面にあてる際に顔面の温度を調整できるようにする。【解決手段】人間の頭部および顔面を覆うカバーは、本体１０、回転軸２０Ｂ、遮断部材３０Ａ，３０Ｂ、ピン４０Ａ，４０Ｂにより構成されている。回転軸２０Ｂは複数の羽根２０Ｃを備えており、本体１０に回転自在に取り付けられている。回転軸２０Ｂが回転させられて、羽根２０Ｃと本体１０に設けられている貫通孔２０Ａとが重なると、各貫通孔２０Ａが各羽根２０Ｃによって閉じられ、本体１０の内部と外部との間の空気の流れが遮断される。また、羽根２０Ｃの位置が貫通孔２０Ａに対してずれていると、貫通孔２０Ａが開き、本体１０の内部から外部へ空気を流すことが可能となる。貫通孔２０Ａに対する羽根２０Ｃの位置を調整することにより、カバー内部から外部へ流れる空気の量が変化し、カバー内の温度が変化する。【選択図】図７
2008125873.tif 000002
【特許請求の範囲】
【請求項１】
中空部を有し光を透過するカバーであって、
該カバーの外面から該中空部に通じる開放口と、
該カバーの内面から外面へ貫通する貫通孔と、
前記貫通孔を開閉する開閉部と
を有する美容カバー。
【請求項２】
前記中空部の延伸方向と直交する方向に流れる該カバー外部からの空気の流れを遮断する遮断部材を有することを特徴とする請求項１に記載の美容カバー。
【発明の詳細な説明】
【技術分野】
【０００１】
本発明は、美容用のカバーに関する。
【背景技術】
【０００２】
美容方法の一つとして、皮膚温より温度の高い蒸気やミストなどの霧状の液体（以下、霧状液体という）を顔面にあてる美容方法がある。この美容方法においては、顔面に皮膚温より温度の高い霧状液体をあてることにより顔面の毛穴が開き、毛穴の奥の汚れが落としやすくなるという効果が得られる。また、皮膚温より高い霧状液体があたることにより、皮膚へ水分が補給されて保湿性が向上するといった効果や、皮膚温が上がって皮膚が活性化することにより、しわやたるみを防ぐことができるという効果が得られる。そして、このような美容効果が確認されていることから、特許文献１，２に開示されているように、顔面に霧状液体をあてるための発明も考案されている。
【０００３】
【特許文献１】実用新案登録第３１１４５１１号公報
【特許文献２】特開平１０−５７４４４号公報
【発明の開示】
【発明が解決しようとする課題】
【０００４】
さて、顔面の美容効果を得る方法としては、ミネラルやビタミンなどの栄養を含むクリームを顔面に塗布してマッサージを行うという方法もある。ここで、マッサージ用のクリームとしては様々な種類のものがあり、その粘度も、常温でも粘度が低く、そのまま顔面に塗布して滑らかにマッサージできるものから、常温では粘度が低く、温度を上げて粘度を下げないと使用できないものもある。このように、温度を上げる必要があるクリームを使用してマッサージを行う場合、温度の高い霧状液体をあてる美容方法と併用すれば、霧状液体の温度によりクリームの粘度が下がるため容易にマッサージを行うことが可能となる。また、霧状液体により保湿性が向上し活性化している皮膚へ栄養を含むクリームがしみこむため、単にいずれかの美容方法を施す場合と比較して、より美容効果を得ることが可能となる。
【０００５】
ところで、クリームが塗布された顔面に霧状液体をあてる場合、顔面の温度が上がらないとクリームの粘度が下がらないが、一方、温度が上がりすぎると粘度が下がりすぎクリームが顔面から流れてしまうという問題も発生する。また、粘度が低いところがあると、顔面全体を滑らかにマッサージできないため、クリームの粘度が一様に下がるように顔面全体の皮膚温を一様に高くする必要がある。
【０００６】
本発明は、上述した背景の下になされたものであり、その目的は、霧状液体を顔面にあてる際に顔面の温度を調整できるようにすることにある。
【課題を解決するための手段】
【０００７】
上述した課題を解決するために本発明は、中空部を有し光を透過するカバーであって、該カバーの外面から該中空部に通じる開放口と、該カバーの内面から外面へ貫通する貫通孔と、前記貫通孔を開閉する開閉部とを有する美容カバーを提供する。
【０００８】
この構成にあっては、前記中空部の延伸方向と直交する方向に流れる該カバー外部からの空気の流れを遮断する遮断部材を有するようにしてもよい。
【発明の効果】
【０００９】
本発明によれば、霧状液体を顔面にあてる際に顔面の温度を調整することができる。
【発明を実施するための最良の形態】
【００１０】
以下、図面を参照して本発明の実施形態について説明する。図１（ａ）は、本発明の一実施形態に係るカバーの正面図であり、図１（ｂ）は、カバーの背面図である。また、図２（ａ）はカバーの上面図であり、図２（ｂ）はカバーの底面図である。また、図３はカバーを図１（ａ）中の矢印Ａ方向から見た図、図３（ｂ）はカバーを図１（ａ）中の矢印Ｂ方向から見た図である。カバーは、人間の首より上の部分を覆うためのものであり、各図に示したように、本体１０、回転軸２０Ｂ、遮断部材３０Ａ，３０Ｂ、ピン４０Ａ，４０Ｂにより構成されている。
【００１１】
本体１０は、楕円筒の一方の端部を開口させ、一方の端部をドーム状に塞いだ形状をしており、耐熱性がある透明なプラスチックで形成されている。本体１０は、透明であるため外側から内部を見ることが可能となっている。本体１０のドーム部分の天頂部には複数の貫通孔２０Ａが設けられている、また、この天頂部には、貫通孔２０Ａを開けたり塞いだりするための回転軸２０Ｂが取り付けられている。また、本体１０の側面には、ピン４０Ａとピン４０Ｂが貫通しており、遮断部材３０Ａがピン４０Ａを中心として矢印Ｃ方向と矢印Ｄ方向へ回転可能に支持され、遮断部材３０Ｂがピン４０Ｂを中心として矢印Ｃ方向と矢印Ｄ回転可能に支持されている。
【００１２】
図４は、本体１０の天頂部分を拡大した図である。図４に示したように、本体１０には本体１０を貫通する４つの貫通孔２０Ａが放射状に設けられている。また、天頂部分には貫通孔が設けられており、この貫通孔に回転軸２０Ｂが回転自在に取り付けられている。図５は、回転軸２０Ｂの斜視図である。図５に示したように、回転軸２０Ｂは、その周面に複数の板状の羽根２０Ｃを備えている。回転軸２０Ｂが回転させられて図６（ａ）に示したように、羽根２０Ｃと貫通孔２０Ａとが重なると、各貫通孔２０Ａが各羽根２０Ｃによって閉じられ、本体１０の内部と外部との間の空気の流れが遮断される。また、図６（ｂ）に示したように、羽根２０Ｃの位置が貫通孔２０Ａに対してずれていると、貫通孔２０Ａが開き、本体１０の内部から外部へ空気を流すことが可能となる。
【００１３】
遮断部材３０Ａ，３０Ｂは、人間の顔の側面方向から顎や首の部分に向けて流れる空気を遮断するための部材である。遮断部材３０Ａは、ピン４０Ａを中心として矢印Ｃ方向と矢印Ｄ方向へ回転させることができ、遮断部材３０Ｂは、ピン４０Ｂを中心として矢印Ｃ方向と矢印Ｄ方向へ回転させることができる。
【００１４】
次に、このカバーを使用した美容方法について説明する。
【００１５】
（肌の診断）
まず、美容方法を施される者（以下、被実施者という）は、顔を洗顔した後、ベッド上に仰向けになって横たわる。この後、美容方法を施す者（以下、実施者という）は、被実施者の顔の写真を撮影するとともに、被実施者の肌の肌理、シミやシワの状況、肌の色、毛穴の広がり、ニキビの有無、肌の柔軟度などを確認する。ここで、顔を撮影しておくことにより、美容方法の実施前と実施後との肌の変化を被実施者に確認してもらうことができる。
【００１６】
（霧状液体の調整）
次に実施者は、例えば特許文献２に開示されている霧状液体を吐出する装置をセットする。そして実施者は、霧状液体の吐出口の位置を移動させつつ、手のひらを耳、頬、額にあて顔面にあたる霧状液体の流量や流速、温度などを手のひらで確認し、霧状液体が被実施者の顔面全体にかかるように吐出口の位置を調整する。
【００１７】
（カバーのセット）
実施者は、吐出口の位置調整が終了すると、図７（ａ）に示したように、顎の部分がカバーの内部に入るようにカバーを被実施者の頭部にかぶせる。ここで、室内の冷暖房のために空気調節装置からの送風が行われている場合には、図７（ｂ）に示したように遮断部材３０Ａ，３０Ｂを回転移動させることにより、空気調節装置からの風がカバーの内部に入らないようにすることもできる。
【００１８】
（スチーミング（一回目））
実施者は、カバーを被実施者にかぶせ終えると、被実施者の毛穴が開くように顔面の肌の色や汗の具合を確認しつつ、回転軸２０Ｂを回転させてカバー内部の温度を調整する。具体的には、図６（ａ）に示したように、羽根２０Ｃと貫通孔２０Ａとが重なるように回転軸２０Ｂを回転させると、カバー内部の空気が貫通孔２０Ａを介してカバーの外部へ流れないため、カバー内の温度が上がることとなる。また、図６（ｂ）に示したように、羽根２０Ｃと貫通孔２０Ａとの位置がずれるように回転軸２０Ｂを回転させると、図７（ａ）中の矢印で示したように、カバー内部の空気が貫通孔２０Ａを介してカバーの外部へ流れるため、図６（ａ）の状態と比較してカバー内の温度が下がることとなる。カバー内部の温度が低いままだと毛穴は開かず、また温度が高すぎると被実施者の体に負担がかかるため、実施者は、被実施者の肌の色や汗の量を見てカバー内部の温度が毛穴を開かせるのに適した温度になっているか否か確認しつつ、回転軸２０Ｂの回転角度を調整することによりカバー内部の温度を調整する。
【００１９】
そして実施者は、カバー内部の温度を調整してから５分ほど経過した後、カバーを取り外し、被実施者の顔面に付着した水分を拭き取る。ここで、水分を拭き取る際には、皮膚に付着した水分を完全にふき取るのではなく、目に見える水滴を除去する程度にふき取る。また、カバーを取り外した後も、霧状液体は被実施者の顔面に当て続けておく。
【００２０】
（クリームの塗布）
次に実施者は、ミネラルやビタミンを含むクリームを被実施者の顔面に載せていく。なお、クリームを顔面に載せていく際には、指で伸ばして塗り込んでいくのではなく、指の腹で一塗り毎にクリームを置くようにして載せていく。ここで、被実施者の顔面においては、水分が完全にふき取られていないため、水分を完全にふき取った場合と比較してクリームが載せやすくなっている。
【００２１】
（スチーミング（二回目））
実施者は、クリームを載せ終えると、再びカバーを被実施者の頭部にかぶせる。そして、カバー内部の温度を上げて顔面の皮膚温を上げることによりクリームの粘度を下げ、皮膚に載せられたクリームがマッサージを行うのに適した状態になるようにする。ここで、カバー内部の温度が低いままだとクリームの粘度が下がらず、また温度が高すぎるとクリームの粘度が下がりすぎて顔面にとどまらなくなるため、実施者は、クリームの状態を確認しつつ、回転軸２０Ｂの回転角度を調整することによりカバー内部の温度を調整する。
【００２２】
（クリームの浸透）
実施者は、カバー内部の温度を調整してから１０分ほど経過した後、カバーを取り外し、額から顔の筋肉に沿って５分ほど指の腹全体で触れていき、クリームを皮膚に浸透させる。なお、ここでも、霧状液体は被実施者の顔面に当て続けておく。そして、５〜６分ほど指で皮膚に触れた後、シミの位置にクリームでクレータ状の窪地をつくり、シミに効果のある液体をこの窪地に塗布する。
【００２３】
（スチーミング（三回目））
次に実施者は、再度カバーを被実施者の頭部にかぶせて１分ほど経過した後、顔面をマッサージする。そして、マッサージが終了した後、ホットタオルで顔面にあるクリームを拭き取る。
【００２４】
（後処理）
実施者は、顔面を拭き取った後、美容液を含むマスクを被実施者の顔面全体にかぶせる。そして１０〜１５分ほど経過した後、マスクを取り除き、顔面を洗顔する。実施者は、被実施者の顔面を洗顔した後、ローションで被実施者の顔面をパッティングして終了する。
【００２５】
以上説明したように本実施形態によれば、カバー内部から外部へ流れる空気の量を調整できるため、実施者は、霧状液体を顔面にあてる際に顔面の温度を容易に調整することができる。
【００２６】
［変形例］
以上、本発明の実施形態について説明したが、上述した実施形態は本発明に係る実施形態の一例であり、本発明は上述した実施形態に限定されることなく、他の様々な形態で実施可能である。例えば、上述の実施形態を以下のように変形して本発明を実施してもよい。
【００２７】
上述した実施形態においては、カバー内に温度センサを配置してカバー内の温度を測定し、カバー内の温度が一定の温度となるように、電気的な制御により回転軸２０Ｂの回転角度を制御してカバー内部から外部へ流れる空気の量を制御するようにしてもよい。具体的には、例えば、回転軸２０Ｂを回転させるためのモータと、モータの回転を回転軸２０Ｂに伝える駆動機構と、温度センサと、モータの回転を制御するマイクロコンピュータを設ける。そして、予め、カバー内の温度をマイクロコンピュータに設定しておき、温度センサで測定したカバー内の温度が設定した温度を以上である場合には、マイクロコンピュータでモータの回転を制御して回転軸２０Ｂを回転させて貫通孔２０Ａを開口させ、温度センサで測定したカバー内の温度が設定した温度未満である場合には、モータを回転させることにより回転軸２０Ｂを回転させて貫通孔２０Ａを閉じるようにしてもよい。
【００２８】
上述した実施形態においては、貫通孔２０Ａの形状は矩形となっているが、貫通孔２０Ａの形状は矩形に限定されるものではなく、他の形状（円、楕円、多角形など）であってもよい。また、同様に羽根２０Ｃの形状も、矩形ではなく他の形状であってもよい）。また、貫通孔２０Ａの数は、複数ではなく一つであってもよい。
また、貫通孔２０Ａは、上述した実施形態のように放射状に設けるのではなく、図８に示したように列状に設けてもよい。この場合、図９に示したように帯状であって、貫通孔２０Ａの間隔と同じ間隔で貫通孔が設けられた開閉部材を、本体１０の貫通孔２０Ａが設けられた位置にスライド可能に配置してもよい。そして、この開閉部材に設けられたツマミをもって開閉部材をスライドさせ、貫通孔２０Ａを開けたり閉めたりして開口量を調整することにより、本体１０内部から外部への空気の流れを調整するようにしてもよい。
また、上述した実施形態においては、貫通孔２０Ａと回転軸２０Ｂは本体１０の天頂部分に設けられているが、楕円柱状の周面のいずれかの部分に設けるようにしてもよい。
また、上述した実施形態においては、カバーは遮断部材３０Ａ，３０Ｂを備えているが、カバーは遮断部材３０Ａ，３０Ｂを備えていなくてもよい。
また、本体１０の形状は、上述した実施形態においては、楕円筒の一方の端部を開口させ、一方の端部をドーム状に塞いだ形状としているが、人間の肩より上の部分を内部に納めることができる形状であれば、本体１０の形状は楕円筒状のものに限定されず、円筒状や内部が中空な多角柱状、半球状など他の形状であってもよい。
【図面の簡単な説明】
【００２９】
【図１】本発明の一実施形態に係るカバーの正面図と背面図である。
【図２】同カバーの上面図と底面図である。
【図３】同カバーの側面図である。
【図４】貫通孔２０Ａ近傍の拡大図である。
【図５】回転軸２０Ｂの斜視図である。
【図６】貫通孔２０Ａを開けたときと閉めたときの図である。
【図７】カバーを被実施者にかぶせたときの図である。
【図８】本発明の変形例に係るカバーの上面図である。
【図９】本発明の変形例に係る開閉部材を例示した図である。
【符号の説明】
【００３０】
１０・・・本体、２０Ａ・・・貫通孔、２０Ｂ・・・回転軸、２０Ｃ・・・羽根、３０Ａ，３０Ｂ・・・遮断部材、４０Ａ，４０Ｂ・・・ピン
【図１】
2008125873.tif 000003
【図２】
2008125873.tif 000004
【図３】
2008125873.tif 000005
【図４】
2008125873.tif 000006
【図５】
2008125873.tif 000007
【図６】
2008125873.tif 000008
【図７】
2008125873.tif 000009
【図８】
2008125873.tif 000010
【図９】
2008125873.tif 000011